(57)【要約】記憶部（２３）は、ＩＤ取得部により非接触で取得された、予備洗浄に関する対象の識別情報を記憶する。登録処理部（２１）は、記憶部（２３）に記憶された識別情報にもとづいて、予備洗浄の実施情報をサーバ装置に登録するか否かを判定する。登録処理部（２１）は、記憶部（２３）に、内視鏡の識別情報と、洗浄作業者の識別情報とが記憶されると、内視鏡の識別情報および洗浄作業者の識別情報を含む予備洗浄の実施情報を登録することを決定する。
2020059117.tif 000002
【特許請求の範囲】
【請求項１】
ＩＤ取得部により非接触で取得された、予備洗浄に関する対象の識別情報を記憶する記憶部と、  前記記憶部に記憶された識別情報にもとづいて、予備洗浄の実施情報を登録するか否かを判定する登録処理部と、を備え、  前記登録処理部は、前記記憶部に、内視鏡の識別情報と、洗浄作業者の識別情報とが記憶されると、内視鏡の識別情報および洗浄作業者の識別情報を含む予備洗浄の実施情報を登録することを決定する、  ことを特徴とする予備洗浄管理装置。
【請求項２】
前記登録処理部は、  前記記憶部に記憶された識別情報で識別される対象を特定する対象特定部と、  特定した対象が内視鏡および洗浄作業者である場合に、予備洗浄の実施情報を登録することを決定する登録判定部と、を有する、  ことを特徴とする請求項１に記載の予備洗浄管理装置。
【請求項３】
前記登録処理部は、  ディスプレイに、前記対象特定部により特定された対象に関する情報を表示させる画面生成部を有する、  ことを特徴とする請求項２に記載の予備洗浄管理装置。
【請求項４】
前記対象特定部が、内視鏡および洗浄作業者のいずれか一方の対象を特定すると、前記画面生成部は、一方の対象に関する情報をディスプレイに表示させ、  前記対象特定部が、内視鏡および洗浄作業者の他方の対象を特定すると、前記画面生成部は、他方の対象に関する情報と、予備洗浄の実施情報を登録する旨を、ディスプレイに表示させる、  ことを特徴とする請求項３に記載の予備洗浄管理装置。
【請求項５】
前記登録処理部は、内視鏡および洗浄作業者のいずれか一方の識別情報が前記記憶部に記憶された後、所定時間内に内視鏡および洗浄作業者の他方の識別情報が前記記憶部に記憶された場合に、予備洗浄の実施情報を登録することを決定する、  ことを特徴とする請求項１から４のいずれかに記載の予備洗浄管理装置。
【請求項６】
前記登録処理部は、  内視鏡および洗浄作業者のいずれか一方の識別情報が前記記憶部に記憶された後、所定時間内に内視鏡および洗浄作業者の他方の識別情報が前記記憶部に記憶されなければ、前記一方の識別情報を前記記憶部から削除する記憶管理部を有する、  ことを特徴とする請求項１から５のいずれかに記載の予備洗浄管理装置。
【請求項７】
請求項１から６のいずれかに記載の予備洗浄管理装置から送信される予備洗浄の実施情報を登録する第１処理部と、  本洗浄管理装置から送信される本洗浄の実施情報を登録する第２処理部と、を備えたサーバ装置であって、  前記第２処理部は、所定の条件を満たす予備洗浄の実施情報を、当該本洗浄の実施情報に関連づける、  ことを特徴とするサーバ装置。
【発明の詳細な説明】
【技術分野】
【０００１】  本発明は、内視鏡の予備洗浄を管理する技術に関する。
【背景技術】
【０００２】  日本では１９９８年に日本消化器内視鏡学会が「消化器内視鏡機器洗浄・消毒法ガイドライン」を発表し、医療施設では内視鏡検査による感染を防止するために、発表されたガイドラインを遵守した洗浄、消毒が実施されている。内視鏡の洗浄、消毒を効率的に実施するために、洗浄、消毒、すすぎを自動的に実施する内視鏡洗浄装置が、多くの医療施設で利用されている。【０００３】  内視鏡洗浄装置では高度作用消毒剤が使用されるが、患者の粘液や血液などによる蛋白残留物は、高度作用消毒剤の効果を落とす。そのため洗浄作業者は、内視鏡洗浄装置による本洗浄の前に、手作業による予備洗浄を実施して蛋白残留物を除去する必要がある。【０００４】  特許文献１は、本洗浄と対となる予備洗浄に関する予備洗浄履歴が記憶手段に記憶されているか否かを判定し、記憶されていないと判定された場合に予備洗浄がされていない旨を警告する洗浄管理装置を開示する。
【先行技術文献】
【特許文献】
【０００５】
【特許文献１】特開２０１２−２３９５３６号公報
【発明の概要】
【発明が解決しようとする課題】
【０００６】  内視鏡のトレーサビリティを確保するために、検査の実施情報および洗浄の実施情報は、互いに関連づけられて管理される必要がある。特に前洗浄は洗浄作業者の手作業によって実施されるため、担当した作業者に関する情報を含めた実施情報が、予備洗浄の洗浄履歴として管理サーバに登録される必要がある。【０００７】  洗浄作業者は、グローブをつけた手で検査で使用した内視鏡を予備洗浄する。予備洗浄後のグローブは清潔でないため、予備洗浄の実施情報を手で入力させるユーザインタフェースは好ましくない。そこで洗浄作業者がタッチパネル等のユーザインタフェースに触れることなく、予備洗浄の実施情報を簡易に入力できる仕組みが切望されている。【０００８】  本発明はこうした状況に鑑みなされたものであり、その目的は、洗浄作業者が簡易に予備洗浄の実施情報を入力できる技術を提供することにある。
【課題を解決するための手段】
【０００９】  上記課題を解決するために、本発明のある態様の予備洗浄管理装置は、予備洗浄に関する対象の識別情報を非接触で取得するＩＤ取得部と、ＩＤ取得部で取得した識別情報を記憶する記憶部と、記憶部に記憶された識別情報にもとづいて、予備洗浄の実施情報を登録するか否かを判定する登録処理部と、を備える。登録処理部は、記憶部に、内視鏡の識別情報と、洗浄作業者の識別情報とが記憶されると、内視鏡の識別情報および洗浄作業者の識別情報を含む予備洗浄の実施情報を登録することを決定する。この決定後、予備洗浄の実施情報は、洗浄情報を蓄積するサーバ装置に送信されてよい。【００１０】  なお、以上の構成要素の任意の組み合わせ、本発明の表現を方法、装置、システム、記録媒体、コンピュータプログラムなどの間で変換したものもまた、本発明の態様として有効である。
【図面の簡単な説明】
【００１１】
【図１】実施例にかかる情報管理システムの構成を示す図である。
【図２】予備洗浄管理装置の機能ブロックを示す図である。
【図３】出力装置の表示画面の例を示す図である。
【図４】スコープＩＤ欄にスコープＩＤを表示した状態を示す図である。
【図５】ユーザＩＤ欄にユーザＩＤを表示した状態を示す図である。
【図６】画面上に表示されるポップアップ画面の例を示す図である。
【図７】出力装置の表示画面の例を示す図である。
【図８】管理サーバの機能ブロックを示す図である。
【発明を実施するための形態】
【００１２】  図１は、本発明の実施例にかかる情報管理システム１の構成を示す。情報管理システム１は、医療施設等における内視鏡を管理するためのシステムであり、内視鏡観測装置３、端末装置４、管理サーバ１０および表示装置１１を備える。内視鏡観測装置３および表示装置１１は検査室に配置され、検査中、内視鏡観測装置３には内視鏡が接続されて、表示装置１１に内視鏡による撮影画像が表示される。端末装置４はナースステーションに配置され、医療従事者により操作される。
【００１３】  管理サーバ１０は、医療施設において使用する内視鏡の情報を登録したデータベース（内視鏡ＤＢ）と、医師や洗浄作業者などの医療従事者のユーザ情報を登録したデータベース（ユーザＤＢ）を有する。内視鏡ＤＢでは、内視鏡を識別するための識別情報（スコープＩＤ）に関連づけられて、内視鏡の種別や型式、施設内で付けられた名称等が記録されている。またユーザＤＢでは、医療従事者を識別するための識別情報（ユーザＩＤ）に関連づけられて、職種（医師や作業者等の区別）、氏名、年齢、性別等の情報が記録されている。
【００１４】  情報管理システム１は、洗浄室に、予備洗浄を管理する予備洗浄管理装置２０と、本洗浄を管理する本洗浄管理装置４０とを備える。実施例で予備洗浄は、洗浄装置７による本洗浄の前に必ず実施されなければならない洗浄であり、洗浄作業者により手作業で実施されている。内視鏡観測装置３、端末装置４、予備洗浄管理装置２０および本洗浄管理装置４０は、ＬＡＮ（ローカルエリアネットワーク）などのネットワーク２によって管理サーバ１０と通信可能に接続される。管理サーバ１０は、内視鏡観測装置３、予備洗浄管理装置２０、本洗浄管理装置４０から送信される情報にもとづいて、内視鏡に関する検査の実施情報、洗浄の実施情報を管理する。
【００１５】  予備洗浄管理装置２０は、ＩＤ取得部６および出力装置５に接続する。たとえば予備洗浄管理装置２０は、出力装置５を搭載し、ＩＤ取得部６に接続するタブレット装置であってよい。本洗浄管理装置４０は、洗浄装置７の内部に設けられ、ＩＤ取得部８および出力装置１２に接続する。図１は１台の洗浄装置７を示しているが、複数台の洗浄装置７が洗浄室に設置されてよい。また図１には、ユーザに情報を提示するための出力装置１２が洗浄装置７と別に設けられている様子が示されるが、出力装置１２は、洗浄装置７の上蓋や前板等に一体に設けられた表示パネルであってもよい。なお本洗浄管理装置４０は、洗浄装置７の外部に設けられてもよく、たとえば出力装置１２を搭載して、ＩＤ取得部８に接続するタブレット装置であってもよい。
【００１６】  ＩＤ取得部６およびＩＤ取得部８は、対象を識別するための識別情報を非接触で取得する。実施例において、対象の識別情報はＲＦＩＤタグに記録されており、ＩＤ取得部６およびＩＤ取得部８は、近距離無線通信によりＲＦＩＤタグに記録された識別情報を取得するＲＦＩＤリーダである。ＩＤ取得部６は、洗浄作業者による予備洗浄の終了後に、予備洗浄に関する対象の識別情報を非接触で取得する。予備洗浄に関する対象は、予備洗浄の実施情報として登録するべき対象であって、予備洗浄された内視鏡と、予備洗浄した洗浄作業者とを含む。ＩＤ取得部８は、本洗浄の開始前に、本洗浄に関する対象の識別情報を非接触で取得する。本洗浄に関する対象は、本洗浄の実施情報として登録するべき対象であって、本洗浄する内視鏡を少なくとも含み、洗浄装置７に内視鏡をセットする洗浄作業者を含んでもよい。
【００１７】  内視鏡観測装置３は内視鏡を接続されると、内視鏡を識別するための識別情報（スコープＩＤ）を取得し、スコープＩＤおよび検査に関する情報を、管理サーバ１０に送信する。検査に関する情報は、少なくとも検査の種別情報、担当医情報、検査の開始時刻を含む。検査が開始されると、内視鏡観測装置３は、内視鏡が取得した画像データを処理し、表示装置１１に撮影画像を表示する。また内視鏡観測装置３は、内視鏡のレリーズスイッチが押されたタイミングで撮影画像を取得し、取得した撮影画像を画像サーバ（図示せず）に送信する。
【００１８】  検査終了後、洗浄作業者は、内視鏡外表面の拭き取りと、吸引・鉗子チャンネルの吸引洗浄を実施する。この洗浄は、ベッドサイド洗浄とも呼ばれる。洗浄作業者は、ベッドサイド洗浄した内視鏡を専用容器に入れて、洗浄室に運びこむ。
【００１９】  洗浄室において洗浄作業者は、グローブをつけた手で、シンク９で内視鏡を予備洗浄する。シンク９の近傍には出力装置５が設置される。出力装置５はディスプレイおよびスピーカを備えたモニタ装置であってよいが、上記したようにタブレット装置の表示パネルおよびスピーカであってもよい。いずれにしても出力装置５は、洗浄作業者に対する画面出力および／または音声出力を可能とする。実施例の出力装置５は、ＩＤ取得部６が取得した対象の識別情報に関する情報を表示する。
【００２０】  予備洗浄において洗浄作業者は、送気・送水ボタン、吸引ボタン、鉗子栓などを取り外し、流水で内視鏡外表面を洗浄した後、専用のチャンネル洗浄ブラシを用いて、吸引・鉗子チャンネルをブラッシングする。また取り外した送気・送水ボタン、吸引ボタン、鉗子栓をブラシを用いて洗浄する。
【００２１】  予備洗浄が終了すると、洗浄作業者は、内視鏡に取り付けられたＲＦＩＤタグをＩＤ取得部６に近づけて、ＲＦＩＤタグに記録されたスコープＩＤをＩＤ取得部６に取得させる。ＲＦＩＤタグは内視鏡の内部にチップとして組み込まれてもよく、また防水性の入れ物に収容された状態で紐などにより内視鏡に結びつけられていてもよい。たとえばＩＤ取得部６は、ＲＦＩＤタグから識別情報を読み取ると、読取完了を通知するための音を発生してよい。洗浄作業者は、通知音を聞いた後、自身を識別するための識別情報（ユーザＩＤ）を記録したＲＦＩＤタグをＩＤ取得部６に近づけて、ユーザＩＤをＩＤ取得部６に取得させる。
【００２２】  ＩＤ取得部６は、取得した識別情報を予備洗浄管理装置２０に供給する。なお実施例でＩＤ取得部６はＲＦＩＤリーダであることを説明したが、対象の識別情報の記録形態に応じて、他の態様の非接触リーダ装置であってもよい。たとえばＩＤ取得部６は、１次元または２次元のコード情報を非接触で読み取るリーダ装置であってもよく、またカメラ画像から対象の識別情報を取得する画像処理装置であってもよい。いずれの場合であっても、ＩＤ取得部６が非接触で識別情報を取得する機能を有することで、洗浄作業者が、汚れたグローブをつけた手でタッチパネル等を操作することなく、スコープＩＤおよびユーザＩＤをＩＤ取得部６に簡易に取得させることができる。
【００２３】  予備洗浄された内視鏡は、洗浄装置７の洗浄槽にセットされて本洗浄（機械洗浄）される。本洗浄の開始前、洗浄作業者は、内視鏡のスコープＩＤをＩＤ取得部８に取得させる。なお洗浄作業者は、洗浄作業者のユーザＩＤもＩＤ取得部８に取得させてよい。
【００２４】  図２は、予備洗浄管理装置２０の機能ブロックを示す。予備洗浄管理装置２０は、登録処理部２１および記憶部２３を備える。記憶部２３は、ＩＤ取得部６により非接触で取得された、予備洗浄に関する対象の識別情報を一時記憶する。登録処理部２１は、記憶部２３に記憶された識別情報にもとづいて、予備洗浄の実施情報を管理サーバ１０に登録するか否かを判定する。具体的に登録処理部２１は、記憶部２３に、スコープＩＤとユーザＩＤとが記憶されると、スコープＩＤおよびユーザＩＤを含む予備洗浄の実施情報を管理サーバ１０に登録することを決定する。登録処理部２１は、予備洗浄実施情報の登録判定機能を実現するために、記憶管理部２２、対象特定部２４、通信部２５、登録判定部２６および画面生成部２７を有する。
【００２５】  これらの構成はハードウエア的には、任意のプロセッサ、メモリ、補助記憶装置、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２６】  洗浄作業者は、予備洗浄を終了すると、まずスコープＩＤおよびユーザＩＤのいずれか一方をＩＤ取得部６に読み取らせ、その後、スコープＩＤおよびユーザＩＤの残りの他方をＩＤ取得部６に読み取らせる。洗浄作業者は、スコープＩＤおよびユーザＩＤのいずれを先にＩＤ取得部６に読み取らせてもよいが、以下の説明では、最初にスコープＩＤをＩＤ取得部６に読み取らせることとする。ＩＤ取得部６は、内視鏡のＲＦＩＤタグから取得した識別情報を登録処理部２１に供給する。
【００２７】  記憶管理部２２は、記憶部２３における識別情報の一時記憶を管理する。記憶管理部２２は、ＩＤ取得部６から識別情報を供給されると、供給された識別情報を記憶部２３に記憶させる。このとき記憶管理部２２はタイマをセットして、最初に識別情報を記憶部２３に記憶させてからの時間を計測する。
【００２８】  対象特定部２４は、記憶部２３に記憶された識別情報で識別される対象の種別を特定する。対象特定部２４は、通信部２５から管理サーバ１０のデータベースにアクセスし、識別情報で識別される対象の種別を特定する情報（種別情報）を取得する。ここで対象特定部２４は、ＩＤ取得部６から供給された識別情報が内視鏡を特定する情報であることを管理サーバ１０から通知され、当該識別情報が内視鏡のスコープＩＤであることを特定する。なお識別情報に、対象の種別を特定する種別情報が含まれていれば、対象特定部２４は、管理サーバ１０に問い合わせることなく、当該種別情報を参照して、対象の種別を特定してよい。
【００２９】  続いて洗浄作業者は、自身のユーザＩＤをＩＤ取得部６に読み取らせる。ＩＤ取得部６は、洗浄作業者のＲＦＩＤタグから取得した識別情報を記憶管理部２２に供給する。記憶管理部２２は、ＩＤ取得部６から供給された識別情報を記憶部２３に記憶させる。対象特定部２４は、管理サーバ１０のデータベースにアクセスし、識別情報で識別される対象の種別情報を取得する。ここで対象特定部２４は、ＩＤ取得部６から供給された識別情報が洗浄作業者を特定する情報であることを管理サーバ１０から通知され、当該識別情報が洗浄作業者のユーザＩＤであることを特定する。
【００３０】  登録判定部２６は、対象特定部２４が特定した対象が内視鏡および洗浄作業者である場合に、予備洗浄の実施情報を管理サーバ１０に登録することを決定する。実施例の予備洗浄管理装置２０では、洗浄作業者がスコープＩＤおよびユーザＩＤをＩＤ取得部６に読み取らせることが、予備洗浄の実施情報を登録するための条件となっている。逆に言えば、洗浄作業者が、予備洗浄終了後に、スコープＩＤおよびユーザＩＤをＩＤ取得部６に読み取らせるだけで、手による入力操作などを必要とすることなく、予備洗浄の実施情報を簡易に管理サーバ１０に登録できる。登録判定部２６は、予備洗浄の実施情報を管理サーバ１０に登録することを決定すると、スコープＩＤおよびユーザＩＤとを含む予備洗浄の実施情報を、通信部２５から管理サーバ１０に送信させる。管理サーバ１０は、予備洗浄の実施情報を、受信時刻（または通信部２５による送信時刻）とともに、予備洗浄履歴記録部に記録する。
【００３１】  なお、スコープＩＤおよびユーザＩＤの両方がＩＤ取得部６により読み取られる際、画面生成部２７は、出力装置５に、対象特定部２４により特定された対象に関する情報を表示させることが好ましい。
【００３２】  図３は、出力装置５の表示画面の例を示す。この画面上側の領域は、ＩＤ取得部６により取得される識別情報、すなわち内視鏡と洗浄作業者の識別情報を表示するために設けられる。画面下側の領域は、当日分の予備洗浄の実施済みリストを表示するために設けられる。
【００３３】  洗浄作業者がスコープＩＤをＩＤ取得部６に読み取らせると、記憶管理部２２が記憶部２３に、ＩＤ取得部６が読み取った識別情報を記憶する。対象特定部２４が、記憶部２３に記憶された識別情報が内視鏡のスコープＩＤであることを特定すると、画面生成部２７は、スコープＩＤ欄３０に、スコープＩＤを表示する。
【００３４】  図４は、スコープＩＤ欄３０にスコープＩＤを表示した状態を示す。スコープＩＤ欄３０にスコープＩＤが表示されることで、洗浄作業者は、内視鏡のスコープＩＤが適切にＩＤ取得部６により取得されたことを認識する。
【００３５】  続いて洗浄作業者が自身のユーザＩＤをＩＤ取得部６に読み取らせ、記憶管理部２２が記憶部２３に、ＩＤ取得部６が読み取った識別情報を記憶する。対象特定部２４が、記憶部２３に記憶された識別情報が洗浄作業者のユーザＩＤであることを特定すると、画面生成部２７は、ユーザＩＤ欄３１に、ユーザＩＤを表示する。
【００３６】  図５は、ユーザＩＤ欄３１にユーザＩＤを表示した状態を示す。ユーザＩＤ欄３１にユーザＩＤが表示されることで、洗浄作業者は、自身のユーザＩＤが適切にＩＤ取得部６により取得されたことを認識する。
【００３７】  なお図４および図５には、対象に関する情報として識別情報が示されているが、たとえば内視鏡の名称や、洗浄作業者の氏名が表示されてもよい。対象特定部２４が、内視鏡ＤＢから内視鏡の名称を取得し、ユーザＤＢから洗浄作業者の氏名を取得することで、画面生成部２７は、内視鏡の名称や、洗浄作業者の氏名を表示できる。
【００３８】  スコープＩＤおよびユーザＩＤの両方が記憶部２３に記憶されたときに、登録判定部２６は、スコープＩＤおよびユーザＩＤを含む予備洗浄の実施情報を管理サーバ１０に登録することを決定する。対象特定部２４は、記憶部２３の記憶状況を定期的に確認して、スコープＩＤおよびユーザＩＤの両方が記憶されているか判定してよい。対象特定部２４が、スコープＩＤおよびユーザＩＤの両方が記憶部２３に記憶されていることを判定すると、登録判定部２６は、予備洗浄の実施情報を管理サーバ１０に登録することを決定する。このとき画面生成部２７は、出力装置５に、予備洗浄の実施情報を登録する旨を表示してよい。
【００３９】  図６は、画面上に表示されるポップアップ画面３２の例を示す。洗浄作業者は、ポップアップ画面３２を見て、予備洗浄の実施情報が管理サーバ１０に登録されることを認識する。その後、洗浄作業者は洗浄装置７に内視鏡を運び、本洗浄開始前にＩＤ取得部８にスコープＩＤを読み取らせる。
【００４０】  このように実施例では、対象特定部２４が、内視鏡および洗浄作業者のいずれか一方の対象を特定すると、画面生成部２７が、当該一方の対象に関する情報を出力装置５に表示させる（図４参照）。その後、対象特定部２４が、内視鏡および洗浄作業者の他方の対象を特定すると、画面生成部２７が、他方の対象に関する情報と、予備洗浄の実施情報を登録する旨を、出力装置５に表示させる（図６参照）。なおポップアップ画面３２の表示は、数秒程度であってよい。ポップアップ画面３２の表示中に、登録判定部２６は、予備洗浄の実施情報を通信部２５から管理サーバ１０に送信させる。管理サーバ１０は、予備洗浄の実施情報を、時刻情報とともに予備洗浄履歴記録部に登録する。
【００４１】  図７は、出力装置５の表示画面の例を示す。画面生成部２７は、ポップアップ画面３２の表示を終了し、予備洗浄終了リストに、管理サーバ１０に送信したスコープＩＤおよびユーザＩＤを追加表示する。
【００４２】  なお登録判定部２６は、内視鏡および洗浄作業者のいずれか一方の識別情報が記憶部２３に記憶された後、所定時間内に内視鏡および洗浄作業者の他方の識別情報が記憶部２３に記憶された場合に、予備洗浄の実施情報を管理サーバ１０に登録することを決定してよい。
【００４３】  たとえばスコープＩＤが記憶部２３に記憶されてから１０分以上経過した後に、ユーザＩＤが記憶部２３に記憶されたケースについて検討する。通常、予備洗浄終了時に洗浄作業者は、スコープＩＤとユーザＩＤとを連続してＩＤ取得部６に読み取らせるため、識別情報を読み取らせる間隔は長くても１０秒程度である。そのため読取間隔が１０分以上空いていれば、それは異なる２つの予備洗浄に関する対象の識別情報の入力であると判断できる。
【００４４】  このことから、逆に２つの識別情報の読取間隔が短ければ、それは同じ予備洗浄に関する対象の識別情報の入力であると判断できる。そこで登録判定部２６は、スコープＩＤおよびユーザＩＤのいずれか一方が記憶部２３に記憶された後、所定時間内に他方が記憶部２３に記憶された場合に、同じ予備洗浄の実施情報として管理サーバ１０に登録することを決定する。たとえば所定時間は、３０秒であってよい。
【００４５】  記憶管理部２２は、内視鏡および洗浄作業者のいずれか一方の識別情報が記憶部２３に記憶された後、所定時間内に内視鏡および洗浄作業者の他方の識別情報が記憶部２３に記憶されなければ、一方の識別情報を記憶部２３から削除してよい。したがって記憶管理部２２は、スコープＩＤを記憶部２３に記憶させた後、所定時間（たとえば３０秒）以内にユーザＩＤを記憶部２３に記憶させられなければ、記憶していたスコープＩＤを記憶部２３から削除する。このとき画面生成部２７は、スコープＩＤ欄３０から、スコープＩＤを削除する。これにより洗浄作業者は、ユーザＩＤの読取が遅れたことを認識し、あらためてスコープＩＤとユーザＩＤの読取をＩＤ取得部６に実施させる。
【００４６】  図８は、管理サーバ１０の機能ブロックを示す。管理サーバ１０は、処理部１０１および履歴記録部１１０を備える。処理部１０１は、通信部１０２、検査情報処理部１０３、予備洗浄情報処理部１０４および本洗浄情報処理部１０５を有し、履歴記録部１１０は、検査履歴記録部１１１、予備洗浄履歴記録部１１２および本洗浄履歴記録部１１３を有する。
【００４７】  検査開始時、内視鏡観測装置３は、スコープＩＤおよび検査に関する情報を管理サーバ１０に送信する。検査に関する情報は、少なくとも検査の種別情報、担当医情報、検査の開始時刻を含む。管理サーバ１０において通信部１０２がスコープＩＤおよび検査に関する情報を受信すると、検査情報処理部１０３は、受信した情報を検査履歴記録部１１１に登録する。
【００４８】  予備洗浄終了時、洗浄作業者が、スコープＩＤおよびユーザＩＤをＩＤ取得部６に読み取らせると、予備洗浄管理装置２０が、予備洗浄の実施情報を、読取ｓ時刻情報とともに管理サーバ１０に送信する。管理サーバ１０において通信部１０２が予備洗浄の実施情報を受信すると、予備洗浄情報処理部１０４は、受信した情報を予備洗浄履歴記録部１１２に登録する。
【００４９】  本洗浄開始前、洗浄作業者が、スコープＩＤをＩＤ取得部８に読み取らせると、本洗浄管理装置４０が、これから本洗浄する内視鏡のスコープＩＤを、読取時刻情報とともに管理サーバ１０に送信する。管理サーバ１０において通信部１０２がスコープＩＤを受信すると、本洗浄情報処理部１０５は、当該スコープＩＤで特定される内視鏡の予備洗浄の実施情報を、予備洗浄履歴記録部１１２から検索する。
【００５０】  検索条件は、以下のとおりである。（条件１）スコープＩＤが同一であること（条件２）まだ本洗浄と関連づけられていないこと（条件３）読取時刻情報の日時よりも前に予備洗浄履歴記録部１１２に登録されていること（条件４）読取時刻情報の日時から１２時間以内に予備洗浄履歴記録部１１２に登録されていること
【００５１】  本洗浄情報処理部１０５は、条件１〜４に該当する予備洗浄の実施情報を特定する。なお本洗浄情報処理部１０５は、複数の実施情報が条件１〜４に該当した場合は、最新の時刻情報をもつ実施情報を選択する。本洗浄情報処理部１０５は、特定した予備洗浄の実施情報を本洗浄管理装置４０に提供する。これを受けて本洗浄管理装置４０は、出力装置１２に、本洗浄の対となる予備洗浄の実施情報を表示させる。洗浄作業者は、出力装置１２の表示画面を見て、予備洗浄が適切に実施されていること、また管理サーバ１０に予備洗浄の洗浄情報が適切に登録されていることを認識できる。
【００５２】  その後、洗浄作業者は、洗浄装置７の操作パネルから、本洗浄に関する情報を入力してよい。入力された情報は、本洗浄管理装置４０より、所定のタイミングで管理サーバ１０に本洗浄の実施情報として送信される。本洗浄情報処理部１０５は、本洗浄の実施情報を本洗浄履歴記録部１１３に登録する。このとき本洗浄情報処理部１０５は、本洗浄開始前に特定した予備洗浄の実施情報を、当該本洗浄の実施情報に関連づける。このようにして管理サーバ１０は、予備洗浄と本洗浄の実施情報を互いに関連づけられる。なお管理サーバ１０は、検査の実施情報も洗浄実施情報に関連づけることで、内視鏡のトレーサビリティを確保できる。
【００５３】  以上、本発明を実施例をもとに説明した。これらの実施例は例示であり、それらの各構成要素や各処理プロセスの組合せにいろいろな変形例が可能なこと、またそうした変形例も本発明の範囲にあることは当業者に理解されるところである。実施例では予備洗浄管理装置２０が洗浄室に設けられる例を示したが、予備洗浄管理装置２０はどこに設けられてもよい。また予備洗浄管理装置２０は、管理サーバ１０の機能として実現されてもよい。
【符号の説明】
【００５４】１・・・情報管理システム、５・・・出力装置、６・・・ＩＤ取得部、７・・・洗浄装置、８・・・ＩＤ取得部、１０・・・管理サーバ、２０・・・予備洗浄管理装置、２１・・・登録処理部、２２・・・記憶管理部、２３・・・記憶部、２４・・・対象特定部、２５・・・通信部、２６・・・登録判定部、２７・・・画面生成部、４０・・・本洗浄管理装置、１０１・・・処理部、１０２・・・通信部、１０３・・・検査情報処理部、１０４・・・予備洗浄情報処理部、１０５・・・本洗浄情報処理部、１１０・・・履歴記録部、１１１・・・検査履歴記録部、１１２・・・予備洗浄履歴記録部、１１３・・・本洗浄履歴記録部。
【産業上の利用可能性】
【００５５】  本発明は、内視鏡の洗浄を管理する分野に利用できる。
【図１】
2020059117.tif 000003
【図２】
2020059117.tif 000004
【図３】
2020059117.tif 000005
【図４】
2020059117.tif 000006
【図５】
2020059117.tif 000007
【図６】
2020059117.tif 000008
【図７】
2020059117.tif 000009
【図８】
2020059117.tif 000010
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
ＩＤ取得部により非接触で取得された、予備洗浄に関する対象の識別情報を記憶する記憶部と、
前記記憶部に内視鏡の識別情報が記憶されると、前記内視鏡の前記識別情報を含む予備洗浄の実施情報を登録することを決定する登録処理部と、を備え、
前記登録処理部は、
前記記憶部に記憶された前記識別情報で識別される対象を特定する対象特定部と、
前記対象特定部により特定された前記対象に関する情報をディスプレイに表示させる画面生成部と、を有し、
前記対象特定部が、前記記憶部に記憶された前記識別情報が内視鏡の識別情報であることを特定すると、前記画面生成部は、前記内視鏡に関する情報と、予備洗浄の実施情報を登録する旨を、ディスプレイに表示させる、
ことを特徴とする予備洗浄管理装置。
【請求項２】
前記登録処理部は、内視鏡および洗浄作業者のいずれか一方の前記識別情報が前記記憶部に記憶された後、所定時間内に内視鏡および洗浄作業者の他方の前記識別情報が前記記憶部に記憶された場合に、予備洗浄の実施情報を登録することを決定する、
ことを特徴とする請求項１に記載の予備洗浄管理装置。
【請求項３】
前記登録処理部は、内視鏡および洗浄作業者のいずれか一方の前記識別情報が前記記憶部に記憶された後、所定時間内に内視鏡および洗浄作業者の他方の前記識別情報が前記記憶部に記憶されなければ、前記一方の識別情報を前記記憶部から削除する、
ことを特徴とする請求項１に記載の予備洗浄管理装置。
【請求項４】
前記対象特定部が、前記記憶部に記憶された１つの前記識別情報が、内視鏡および洗浄作業者の一方の識別情報であることを特定すると、前記画面生成部は、前記内視鏡および前記洗浄作業者の前記一方に関する情報をディスプレイに表示させ、
前記対象特定部が、前記記憶部に記憶された別の１つの前記識別情報が、前記内視鏡および前記洗浄作業者の他方の識別情報であることを特定すると、前記画面生成部は、前記内視鏡および前記洗浄作業者の前記他方に関する情報と、予備洗浄の実施情報を登録する旨を、ディスプレイに表示させ、
前記登録処理部は、前記記憶部に前記内視鏡の前記識別情報および前記洗浄作業者の前記識別情報が記憶されると、前記内視鏡の前記識別情報および前記洗浄作業者の前記識別情報を含む予備洗浄の実施情報を登録することを決定する、
ことを特徴とする請求項１に記載の予備洗浄管理装置。
【請求項５】
前記画面生成部は、前記予備洗浄の実施情報を登録する旨の表示を終了した後、前記内視鏡に関する情報を追加した予備洗浄終了リストをディスプレイに表示させる、
ことを特徴とする請求項１に記載の予備洗浄管理装置。
【請求項６】
ＩＤ取得部により非接触で取得された、予備洗浄に関する対象の識別情報を記憶部に記憶するステップと、
前記記憶部に記憶された前記識別情報が内視鏡の識別情報であることを特定するステップと、
内視鏡の識別情報が前記記憶部に記憶されると、前記内視鏡の前記識別情報を含む予備洗浄の実施情報を登録することを決定するステップと、
前記内視鏡に関する情報と、予備洗浄の実施情報を登録する旨とを、ディスプレイに表示させるステップと、
を含む予備洗浄管理方法。
【請求項７】
予備洗浄の実施情報を登録することを決定するステップは、内視鏡および洗浄作業者のいずれか一方の前記識別情報が前記記憶部に記憶された後、所定時間内に内視鏡および洗浄作業者の他方の前記識別情報が前記記憶部に記憶された場合に、予備洗浄の実施情報を登録することを決定する、
ことを特徴とする請求項６に記載の予備洗浄管理方法。
【請求項８】
内視鏡および洗浄作業者のいずれか一方の前記識別情報が前記記憶部に記憶された後、所定時間内に内視鏡および洗浄作業者の他方の前記識別情報が前記記憶部に記憶されなければ、前記一方の識別情報を前記記憶部から削除するステップをさらに含む、
ことを特徴とする請求項６に記載の予備洗浄管理方法。
【請求項９】
前記記憶部に記憶された１つの前記識別情報が、内視鏡および洗浄作業者の一方の識別情報であることを特定するステップと、
前記内視鏡および前記洗浄作業者の前記一方に関する情報をディスプレイに表示させるステップと、
前記記憶部に記憶された別の１つの前記識別情報が、前記内視鏡および前記洗浄作業者の他方の識別情報であることを特定するステップと、
前記内視鏡および前記洗浄作業者の前記他方に関する情報と、予備洗浄の実施情報を登録する旨とを、ディスプレイに表示させるステップと、を含み、
予備洗浄の実施情報を登録することを決定するステップは、前記記憶部に前記内視鏡の前記識別情報および前記洗浄作業者の前記識別情報が記憶されると、前記内視鏡の前記識別情報および前記洗浄作業者の前記識別情報を含む予備洗浄の実施情報を登録することを決定する、
ことを特徴とする請求項６に記載の予備洗浄管理方法。
【請求項１０】
前記予備洗浄の実施情報を登録する旨の表示を終了した後、前記内視鏡に関する情報を追加した予備洗浄終了リストをディスプレイに表示させるステップを含む、
ことを特徴とする請求項６に記載の予備洗浄管理方法。
【国際調査報告】
2020059117.tif 000011
2020059117.tif 000012
2020059117.tif 000013
2020059117.tif 000014